(57)【要約】【課題】  単一ファイルに連続記録する連続記録と、複数のファイルに分割して記録する分割記録を適応的に選択する。【解決手段】  動画像データがディスク３２に記録されているか否かを判別する（Ｓ１０）。記録中であると（Ｓ１０）、外部電源３０から電力供給されているか否かを判別する（Ｓ１１）。外部電源３０から電力供給されていると（Ｓ１１）、安定した電力供給があると判断され、動画像データがディスク３２に１つのデータファイルとして連続記録する連続記録を選択する（Ｓ１２）。バッテリ２８から電力供給されていると（Ｓ１１）、安定した電力供給がないと判断され、動画像データがディスク３２に新しいデータファイルに分割記録する分割記録を選択する（Ｓ１３）。【選択図】  図４
2007109314.tif 000002
【特許請求の範囲】
【請求項１】
記録媒体にデータを記録する記録処理手段であって、入力された一連の当該データを１つのデータファイルに連続記録する連続記録モードと、当該データを複数のデータファイルに分割記録する分割記録モードとを選択可能な記録処理手段と、
装置状態を検知する状態検知手段と、
前記状態検知手段の検知結果に基づき、前記記録処理手段のモードを制御する制御手段
とを具備することを特徴とする記録装置。
【請求項２】
前記制御手段は、ユーザの指示に従い、前記記録処理手段のモードを制御することを特徴とする請求項１に記載の記録装置。
【請求項３】
前記装置状態は、外部電源か否か、外部入力か否か、バッテリ残量、及びバッテリ収納部の蓋の開閉の何れか１以上であることを特徴とする請求項１又は２に記載の記録装置。
【発明の詳細な説明】
【技術分野】
【０００１】
本発明は、動画像を記録媒体に記録する記録方法及び装置に関する。
【背景技術】
【０００２】
従来、撮影した動画像データをＤＶＤ（Digital Versatile Disc）などのディスク媒体に記録するビデオカメラが知られており、様々なファイル形式で記録している。撮影開始から撮影停止までの一連の動画像データは、基本的に、図１に示すように、一つのファイルに記録される。
【０００３】
しかし、従来のビデオカメラでは、動画像データの記録中に、バッテリ切れまたは撮像装置の落下等の不慮の事故が生じると、書き込み中のファイルの管理情報が書き込まれず、記録処理が正常終了しないので、ファイルにアクセスが出来なくなってしまうという致命的な問題が生じる。
【０００４】
このような問題を解決するため、図２に示すように、一連の動画像を所定のタイミング（データ量、記録時間、フレーム数）で分割する記録装置が、特許文献１に記載されている。特許文献１に係る記録装置では、正常な記録終了処理が行われない場合でも、最後のファイルを除いて、分割記録されたデータファイルにアクセスができ、被害を最小限にすることができる。
【特許文献１】特開２０００−２１５６４８号公報
【発明の開示】
【発明が解決しようとする課題】
【０００５】
一連の動画像を複数のファイルに分割して記録すると、ファイル数に比例してヘッダ及びフッタなどの付加情報のデータ量も増加し、ディスク媒体の記録領域を無駄に消費しまう。記録データ量が増加することで、記録処理に要する電力が増加し、電池駆動の場合に、電池の消耗が早まる。
【０００６】
そこで、本発明は、上記の問題点に鑑み、電力切れによる記録の失敗を回避可能な記録方法及び装置を提示することを目的とする。
【課題を解決するための手段】
【０００７】
上記の目的を達成するために、本発明に係る記録装置は、記録媒体にデータを記録する記録処理手段であって、入力された一連の当該データを１つのデータファイルに連続記録する連続記録モードと、当該データを複数のデータファイルに分割記録する分割記録モードとを選択可能な記録処理手段と、装置状態を検知する状態検知手段と、前記状態検知手段の検知結果に基づき、前記記録処理手段のモードを制御する制御手段とを具備することを特徴とする。
【発明の効果】
【０００８】
本発明によれば、連続記録モードと分割記録モードの内の、装置状態に応じた記録モードでデータを記録媒体に記録できるようになる。
【発明を実施するための最良の形態】
【０００９】
以下、図面を参照して、本発明の実施例を詳細に説明する。
【実施例１】
【００１０】
図３は、本発明の位置実施例であるビデオカメラの概略構成ブロック図である。図３において、ビデオカメラ１０は、撮像部１２、符号化部１４、フォーマット化部１６、記録部１８、外部入力部２０、制御部２２、電力供給部２４、操作部２６、バッテリ収納部２８、バッテリ２８ａ、外部電源３０及びディスク３２を具備する。
【００１１】
撮像部１２は動画像を撮像し、動画像データを符号化部１４に出力する。また、外部入力部２０は、ビデオカメラ１０の外部から動画像データを取り込みし、符号化部１４に出力する。符号化部１４は、撮像部１２または外部入力部２０からの動画像データを択一的に選択し、ＭＰＥＧ方式で符号化してフォーマット化部１６に出力する。フォーマット化部１６は、ＭＰＥＧデータを所定データ量毎に１ファイルにまとめ、各ファイルにヘッダ及びフッタなどの付加情報を付加し、記録に適した形式に変換し、記録部１８に出力する。記録部１８は、フォーマット化部１６から出力されたデータをディスク３２に記録する。制御部２２は、操作部２６からの指示に従い、これらの記録動作を制御する。
【００１２】
操作部２６は電源スイッチ（不図示）及び記録トリガスイッチ（不図示）等を具備する。電力供給部２４は、ビデオカメラ１０の各部に電力を供給する。また、外部電源３０は、家庭用商用交流電源のコンセントなどから電力を得るＡＣアダプタである。バッテリ収納部２８は蓋を具備し、携帯用のバッテリ２８ａを収納する。ディスク３２は、光ディスク又は磁気ディスク等の記録媒体である。
【００１３】
本実施例では、ユーザによる記録開始の指示から記録停止の指示までの間の動画像データを１ファイルに記録する連続記録又は連続記録モードと、複数のファイルに分割して記録する分割記録又は分割記録モードとを選択可能であり、ユーザは、どちらの記録方法又は記録モードを使用するかを操作部２６により制御部２２に指示できる。制御部２２はまた、使用状況に応じて適応的に、連続記録又は分割記録を自動選択することができる。即ち、本実施例では、ユーザは、連続記録モードと、分割記録モードと、連続記録と分割記録を使用状況に応じて適応的に選択する自動モードのいずれかを選択可能であり、いずれかのモードを事前に制御部２２に設定する。
【００１４】
バッテリ２８ａの使用時間と記録媒体の記録可能時間には限界がある。バッテリ２８ａの持ちを長くしたいユーザ、又は記録時間を長くしたいユーザは、連続記録モードを選択すればよい。他方、重要なデータを記録する場合には、万が一、不慮の事故が発生した場合にも被害を最小限に抑えることが出来るように、分割記録モードを選択すればよい。ユーザが特に記録方法又は記録モードを指定しない場合には、使用状況に応じて適応的に連続記録モード又は分割記録モードを選択する動作モードとすることで、使用環境に応じた適切な記録方法で動画撮影を行える。
【００１５】
使用状況には、電源が外部電源３０かバッテリ２８ａか、バッテリ２８ａを電源とする場合のバッテリ２８ａの残量、記録しようとする動画像が撮像部からのものか外部入力かがあり、制御部２２が、これらに応じて、連続記録又は分割記録をフォーマット化部に指示する。
【００１６】
次に、図４乃至図８を参照して、記録方法（連続記録と分割記録）を適応的に選択する自動モードの動作を説明する。
【００１７】
図４は、電源が外部電源３０か内蔵バッテリ２８ａかに応じて記録方法を選択する動作のフローチャートである。
【００１８】
動画像データのディスク３２への記録が終了したか否かを判別する（Ｓ１０）。記録中でなければ（Ｓ１０）、記録動作を終了する。記録中であれば（Ｓ１０）、外部電源３０から電力を供給されているか否かを判別する（Ｓ１１）。外部電源３０から電力供給されている場合（Ｓ１１）、安定した電力供給があると判断され、動画像データをディスク３２に１データファイルとして連続記録する記録方法（連続記録）を選択する（Ｓ１２）。これに対し、バッテリ２８ａから電力が供給されている場合（Ｓ１１）、安定した電力供給がないと判断され、動画像データをディスク３２に分割した複数のデータファイルとして記録する記録方法（分割記録）を選択する（Ｓ１３）。ステップＳ１２、Ｓ１３の後、ステップＳ１０に戻る。
【００１９】
図５は、記録しようとする動画像が外部入力部からの動画像であるか否かにより記録方法を選択する動作のフローチャートである。
【００２０】
動画像データがディスク３２に記録中か否かを判別する（Ｓ２０）。記録中でなければ（Ｓ２０）、記録動作を終了する。記録中であれば（Ｓ２０）、記録している動画像データが、外部入力部２０からのものか否かを判別する（Ｓ２１）。外部入力部２０からの動画像データを記録する場合（Ｓ２１）、連続記録モードを選択する（Ｓ２２）。撮像部１２からの動画像データの場合（Ｓ２１）、分割記録モードを選択する（Ｓ２３）。ステップＳ２２、Ｓ２３の後、ステップＳ２０に戻る。
【００２１】
撮像部１２からの動画像を記録するのは、多くの場合で、ビデオカメラ１０を外出先で使用している。一方、外部入力部２０からの動画像データを記録するのは、ほとんどの場合で、ビデオカメラ１０を室内の周辺機器に接続して使用している。すなわち、撮像部１２からの入力は、しばしば、外出先で行われ、電源がバッテリになることからも、電力供給が不安定になりやすい。これに対し、外部入力部２０からの入力は、多くの場合に室内で行われるのは、電力供給が安定していると考えられる。図５に示す動作では、撮像部１２からの入力に対し分割記録を設定し、外部入力部２０からの入力に対し、連続記録を設定する。
【００２２】
図６は、バッテリ残量に応じて記録方法を選択する動作のフローチャートである。
【００２３】
図６において、動画像データがディスク３２に記録中か否かを判別する（Ｓ３０）。記録中でなければ（Ｓ３０）、記録動作を終了する。記録中であれば（Ｓ３０）、バッテリ２８ａの残量が閾値以下であるか否かを判別する（Ｓ３１）。バッテリ２８ａの残量が閾値を越えていると（Ｓ３１）、連続記録を選択する（Ｓ３２）。バッテリ２８ａの残量が閾値以下であると（Ｓ３１）、分割記録を選択する（Ｓ３３）。ステップＳ３２、Ｓ３３の後、ステップＳ３０に戻る。
【００２４】
この動作では、記録途中にバッテリ２８ａが消耗して記録を正常終了できなかった場合の被害を最小限に抑えることができる。
【００２５】
図７は、バッテリ収納部の蓋の開閉に応じて記録方法を選択する動作のフローチャートである。
【００２６】
図７において、動画像データがディスク３２に記録中か否かを判別する（Ｓ４０）。記録中でなければ（Ｓ４０）、記録動作を終了する。記録中であれば（Ｓ４０）、バッテリ収納部２８の蓋が開いているか否かを判別する（Ｓ４１）。蓋が開いていると（Ｓ４１）、連続記録を選択する（Ｓ４２）。蓋が閉じていると（Ｓ４１）、分割記録を選択する（Ｓ４３）。ステップＳ４２、Ｓ４３の後、ステップＳ４０に戻る。
【００２７】
この動作では、突然、バッテリ２８ａが取り外される場合の被害を最小限に抑えることができる。
【００２８】
図８は、図４乃至図７に示す条件の組み合わせで記録方法を選択する動作のフローチャートである。
【００２９】
図８において、動画像データがディスク３２に記録中か否かを判別する（Ｓ５０）。記録中でなければ（Ｓ５０）、記録動作を終了する。記録中であれば（Ｓ５０）、外部電源３０から電力供給されているか否かを判別する（Ｓ５１）。外部電源３０から電力供給されていると（Ｓ５１）、安定した電力環境があると判断され、連続記録を選択する（Ｓ５５）。
【００３０】
外部電源３０から電力供給されていない場合、即ち、バッテリ２８ａから電力供給されている場合（Ｓ５１）、安定した電力環境がないと判断され、バッテリ収納部２８の蓋が開いているか否かを判別する（Ｓ５２）。蓋が開いていると（Ｓ５２）、分割記録を選択する（Ｓ５６）。
【００３１】
蓋が閉じていると（Ｓ５２）、外部入力部２０からの動画像データを記録しているのか否かを判別する（Ｓ５３）。外部入力部２０からの動画像データを記録している場合には（Ｓ５３）、連続記録を選択する（Ｓ５５）。撮像部１２からの動画像を記録している場合には（Ｓ５３）、バッテリ２８ａの残量が閾値以下であるか否かを判別する（Ｓ５４）。バッテリ２８ａの残量が閾値を越えるとき（Ｓ５４）、連続記録を選択する（Ｓ５５）。バッテリ２８ａの残量が閾値以下のとき（Ｓ５４）、分割記録を選択する（Ｓ５６）。ステップＳ５５、Ｓ５６の後、ステップＳ５０に戻る。
【００３２】
なお、本実施形態では、外部電源３０、外部入力部２０、バッテリ２８ａの残量、バッテリ収納部２８の蓋の開閉により記録方法を選択したが、いずれかの分岐条件を外しても良いし、分岐判断の前後を変更しても良い。分岐判断の順番は、何を重要と考えるかにより決定される。
【００３３】
本実施例では、連続記録モード、分割記録モード及び自動モードの何れかでの記録中に、別の記録モードに切り替えることができる。その場合、記録形式は、新しい記録モードの記録形式に従う。
【図面の簡単な説明】
【００３４】
【図１】連続記録の模式図である。
【図２】分割記録の模式図である。
【図３】本発明の一実施例の概略構成ブロック図である。
【図４】外部電源か否かに従い記録方法を選択する動作のフローチャートである。
【図５】外部入力か否かに従い記録方法を選択する動作のフローチャートである。
【図６】バッテリ残量に応じて記録方法を選択する動作のフローチャートである。
【図７】バッテリ収納部の蓋の開閉に従い記録方法を選択する動作のフローチャートである。
【図８】図４乃至図７の判定条件の組み合わせに従い記録方法を選択する動作のフローチャートである。
【符号の説明】
【００３５】
１０  ビデオカメラ
１２  撮像部
１４  符号化部
１６  フォーマット化部
１８  記録部
２０  外部入力部
２２  制御部
２４  電源供給部
２６  操作部
２８  バッテリ収納部
２８ａ  バッテリ
３０  外部電源
３２  ディスク
【図１】
2007109314.tif 000003
【図２】
2007109314.tif 000004
【図３】
2007109314.tif 000005
【図４】
2007109314.tif 000006
【図５】
2007109314.tif 000007
【図６】
2007109314.tif 000008
【図７】
2007109314.tif 000009
【図８】
2007109314.tif 000010